(57)【要約】      （修正有）【課題】強力なバネで付勢した閉塞板を回動させる等して本体の導入部を閉塞するのではなく、自重を利用してスライド落下する閉塞板で導入部を閉塞することで、動物がエサをつついた瞬間に導入部を閉塞でき、閉塞板を開けて本体内にエサをしかける作業も強い力を必要とせずに極めて簡単且つ安全に行うことができ、しかも、簡易な構成でコスト安且つ容易に設計することができる捕獲器の提供。【解決手段】動物を収納する本体１に動物を導入するための導入部２を設け、この導入部２を閉塞するための閉塞板３を導入部２に対して上下方向にスライド移動自在に設け、本体１には、閉塞板３を上方に位置した状態で係止する係止部５を設け、本体１内に侵入した動物が本体１内に設けたエサ取付部４を可動させた際に、係止部５による閉塞板３の係止状態が解除されてこの閉塞板３が自動的に下方へスライド移動し導入部２を閉塞状態とする係止解除機構６を設けた。【選択図】        図１
2004305050.tif 000002
【特許請求の範囲】
【請求項１】
タヌキやイノシシなどの動物を捕獲するための捕獲器において、前記動物を収納する本体に前記動物を本体内へ導入するための導入部を設け、この導入部を閉塞するための閉塞板を前記導入部に対して上下方向にスライド移動自在に設け、この閉塞板は、上方に位置した際には導入部が開放状態となり、下方へスライド移動した際にはこの導入部が閉塞状態となるように構成し、前記本体には、前記閉塞板を上方に位置した状態で係止する係止部を設け、本体内に侵入した動物が前記本体内に設けたエサ取付部を可動させた際に、前記係止部による前記閉塞板の係止状態が解除されてこの閉塞板が自動的に下方へスライド移動し前記導入部を閉塞状態とする係止解除機構を設けたことを特徴とする捕獲器。
【請求項２】
前記本体に、閉塞板を所定位置で係止するための係止杆を設け、この係止杆の端部を前記係止部に設定し、この係止杆の端部で閉塞板を支承することで前記導入部を開放状態とし、この係止杆による閉塞板の支承状態が解除されることで、前記閉塞板が自動的に下方へスライド移動し前記導入部を閉塞状態とし得るように構成したことを特徴とする請求項１記載の捕獲器。
【請求項３】
前記エサ取付部を前記本体内に回動自在に設け、このエサ取付部の回動動作に連動して進退移動する係止杆を前記エサ取付部に連設し、この係止杆の端部の前記係止部で前記閉塞板を上方に位置した状態で係止し、前記本体内に侵入した動物が前記エサ取付部を可動させた際に、このエサ取付部の可動に連動して係止杆が進退移動することで、前記係止杆の端部に設けた係止部による閉塞板の係止状態が解除され、前記閉塞板が自動的に下方へスライド移動し導入部を閉塞状態とし得るように前記係止解除機構を構成したことを特徴とする請求項１，２のいずれか１項に記載の捕獲器。
【請求項４】
前記係止杆の先端部を前記係止部とし、前記閉塞板をこの係止杆の先端部の係止部で支承することで前記閉塞板を前記本体の導入部を開口した位置で係止し、前記本体内にこの導入部から侵入した動物が前記エサ取付部を引動した際に、この引動動作に連動して前記係止杆が後退動することで前記閉塞板から前記係止杆の先端部の係止部が抜脱して前記係止状態が解除され、前記閉塞板が自動的に下方へスライド移動して前記導入部を閉塞状態とするように構成したことを特徴とする請求項１〜３のいずれか１項に記載の捕獲器。
【請求項５】
前記本体に前記エサ取付部を取り付けるための支承杆を架設し、この支承杆にエサ取付部を回動自在に連結した構成としたことを特徴とする請求項１〜４のいずれか１項に記載の捕獲器。
【請求項６】
前記エサ取付部を引動した動物が前記エサ取付部から離れてこのエサ取付部が戻り動することで、この戻り動に連動して前記係止杆が前進動して前記閉塞板の上方に突出し、この突出した係止杆が閉塞板の上方へのスライド移動を阻止することで、前記閉塞板が前記導入部を閉塞した状態を保持し得るように構成したことを特徴とする請求項３〜５のいずれか１項に記載の捕獲器。
【発明の詳細な説明】
【０００１】
【発明の属する技術分野】
本発明は、田畑を荒らしたり人体に危害を加えるタヌキやイノシシなどの動物を捕獲するための捕獲器に関するものである。
【０００２】
【従来の技術及び発明が解決しようとする課題】
田畑を荒らしたり人に危害を加えるタヌキやイノシシなどの動物を捕獲するための捕獲器には様々なものが市販されている。
【０００３】
一般的な捕獲器は、動物を収納する本体に動物を導入するための導入口を設け、この導入口を開閉する扉を本体に対して水平回動若しくは上下回動自在に設け、この扉は導入口を塞ぐ方向にバネによって付勢された構成とし、導入口を開けた状態で扉を一旦係止して動物が本体内に侵入するのを待ち、本体内に動物が侵入して本体内に配したエサを動物がつついた瞬間に、前記扉の係止状態を解除してバネの弾性作用によって扉を回動させ、この扉で導入口を閉塞することで侵入した動物を捕獲できるように構成している。
【０００４】
この捕獲器によれば、本体内に動物が侵入し、エサをつついた瞬間に動物の逃げ道を断つことができるため、動物が本体内に入った状態で扉を閉じることができれば、動物を良好に捕獲することができると考えられる。
【０００５】
ところで、この種の捕獲器は、本体内におびき寄せられた動物がエサをつついた瞬間に即座に導入口を閉塞できるように、本体に対して扉を非常に強力なバネによって閉じ付勢している。
【０００６】
そのため、本体内にエサをしかけて扉を開けた状態とするには、この強力に閉じ付勢された扉を手で思い切り強く開き動させなければならず、よって、エサをしかけるのに非常に手間がかかり、また、強い力も必要とするという問題点がある。
【０００７】
また、扉は本体に対して強力に閉じ付勢されているため、扉を開き動させてエサをしかける際に、仮に手を滑らせるなどすると、扉に手を挟んでしまいかねない懸念も有する。
【０００８】
一方、本体に対する扉の閉じ付勢の強さは、人の手で扉を動かせる程度の強さに設定される必要があるため強く設定するのにも限界があり、そのため、本体１内に捕獲された動物が、扉の閉じ付勢以上に力のある動物であった場合には、激しく暴れることで扉を押し開いて本体外へ逃げてしまうという問題点があった。
【０００９】
また、導入口を閉塞する扉は、前述のように、本体に対して回動動作して導入口を閉塞する構成のため、動物がエサ取付部をつついてから導入口を閉塞するまでに、扉が回動動作する分、導入口が閉塞されるまで時間がかかってしまう。
【００１０】
そのため、警戒心が強く素早い動きをする野生の動物等は、エサをつついた瞬間に異変に気づき、扉が閉まり切る寸前で扉と導入口との隙間に体の一部を挟み、そのまま本体内から逃げてしまうという問題点があった。
【００１１】
本発明は、強力なバネで付勢した閉塞板を回動させる等して本体の導入部を閉塞するのではなく、自重を利用して下方へスライド移動（スライド落下）する閉塞板で前記導入部を閉塞するため、動物がエサをつついた瞬間に即座に導入部を閉塞板で閉塞できることは勿論、閉塞板を開けて本体内にエサをしかける作業を強い力を必要とせずに極めて簡単且つ安全に行うことができ、しかも、簡易な構成であるためコスト安且つ容易に設計実現することができる極めて実用性に秀れた画期的な捕獲器を提供することを目的としている。
【００１２】
【課題を解決するための手段】
添付図面を参照して本発明の要旨を説明する。
【００１３】
タヌキやイノシシなどの動物を捕獲するための捕獲器において、前記動物を収納する本体１に前記動物を本体１内へ導入するための導入部２を設け、この導入部２を閉塞するための閉塞板３を前記導入部２に対して上下方向にスライド移動自在に設け、この閉塞板３は、上方に位置した際には導入部２が開放状態となり、下方へスライド移動した際にはこの導入部２が閉塞状態となるように構成し、前記本体１には、前記閉塞板３を上方に位置した状態で係止する係止部５を設け、本体１内に侵入した動物が前記本体１内に設けたエサ取付部４を可動させた際に、前記係止部５による前記閉塞板３の係止状態が解除されてこの閉塞板３が自動的に下方へスライド移動し前記導入部２を閉塞状態とする係止解除機構６を設けたことを特徴とする捕獲器に係るものである。
【００１４】
また、前記本体１に、閉塞板３を所定位置で係止するための係止杆５Ａを設け、この係止杆５Ａの端部を前記係止部５に設定し、この係止杆５Ａの端部で閉塞板３を支承することで前記導入部２を開放状態とし、この係止杆５Ａによる閉塞板３の支承状態が解除されることで、前記閉塞板３が自動的に下方へスライド移動し前記導入部２を閉塞状態とし得るように構成したことを特徴とする請求項１記載の捕獲器に係るものである。
【００１５】
また、前記エサ取付部４を前記本体１内に回動自在に設け、このエサ取付部４の回動動作に連動して進退移動する係止杆５Ａを前記エサ取付部４に連設し、この係止杆５Ａの端部の前記係止部５で前記閉塞板３を上方に位置した状態で係止し、前記本体１内に侵入した動物が前記エサ取付部４を可動させた際に、このエサ取付部４の可動に連動して係止杆５Ａが進退移動することで、前記係止杆５Ａの端部に設けた係止部５による閉塞板３の係止状態が解除され、前記閉塞板３が自動的に下方へスライド移動し導入部２を閉塞状態とし得るように前記係止解除機構６を構成したことを特徴とする請求項１，２のいずれか１項に記載の捕獲器に係るものである。
【００１６】
また、前記係止杆５Ａの先端部を前記係止部５とし、前記閉塞板３をこの係止杆５Ａの先端部の係止部５で支承することで前記閉塞板３を前記本体１の導入部２を開口した位置で係止し、前記本体１内にこの導入部２から侵入した動物が前記エサ取付部４を引動した際に、この引動動作に連動して前記係止杆５Ａが後退動することで前記閉塞板３から前記係止杆５Ａの先端部の係止部５が抜脱して前記係止状態が解除され、前記閉塞板３が自動的に下方へスライド移動して前記導入部２を閉塞状態とするように構成したことを特徴とする請求項１〜３のいずれか１項に記載の捕獲器に係るものである。
【００１７】
また、前記本体１に前記エサ取付部４を取り付けるための支承杆８を架設し、この支承杆８にエサ取付部４を回動自在に連結した構成としたことを特徴とする請求項１〜４のいずれか１項に記載の捕獲器に係るものである。
【００１８】
また、前記エサ取付部４を引動した動物が前記エサ取付部４から離れてこのエサ取付部４が戻り動することで、この戻り動に連動して前記係止杆５Ａが前進動して前記閉塞板３の上方に突出し、この突出した係止杆５Ａが閉塞板３の上方へのスライド移動を阻止することで、前記閉塞板３が前記導入部２を閉塞した状態を保持し得るように構成したことを特徴とする請求項３〜５のいずれか１項に記載の捕獲器に係るものである。
【００１９】
【発明の実施の形態】
好適と考える本発明の実施の形態（発明をどのように実施するか）を、図面に基づいてその作用効果を示して簡単に説明する。
【００２０】
本体１の上部に閉塞板３を位置させた状態でこの閉塞板３を係止部５により係止すると、本体１に設けた導入部２が開放状態となる。
【００２１】
そして、この開放状態となった導入部２からタヌキやイノシシ等の動物が本体１内に配したエサにおびき寄せられて侵入し、前記エサを取り付けたエサ取付部４を前記動物が引っ張るなどして可動させると、係止部５による閉塞板３の係止状態が解除され、閉塞板３は自動的に下方へスライド移動して前記導入部２を閉塞することとなり、これにより、本体１内に動物を捕獲できることとなる。
【００２２】
即ち、本発明は、従来のように、閉塞板を本体に対してバネ等の弾性体の弾性作用により水平回動させたり上下回動させたりして導入部を閉塞するのではなく、本体１に対して閉塞板３を単に自重を利用して下方へスライド移動させることで導入部２を閉塞するため、従来のように閉塞板を水平方向や上下方向に回動させて導入部２を閉塞するよりも即座に導入部２を閉塞板３で閉塞でき、これにより、動物が本体１内に侵入して例えばエサを引っ張った瞬間に即座に導入部２を閉塞して動物を確実に捕獲できることとなる。
【００２３】
また、閉塞板３は前述のように、挿入部２に対して上下方向にスライド移動する構成のため、例えばこの閉塞板３を手で上方に持ち上げない限りは、導入部２を開放状態とすることはできず、よって、本体１内に捕獲した動物が暴れて閉塞板３にいくら体当たりしても、この閉塞板３が上方へ移動して挿入部２が開放状態となることはなく、よって、捕獲した動物を逃がすことなく本体１内で確実に収納できることとなる。
【００２４】
また、閉塞板３は、例えば強力なバネ等の弾性体を用いずに閉塞板３で導入部２を閉塞状態にできる構成であるため、本体１内のエサ取付部４にエサを取り付けて閉塞板３を本体１の上部位置に係止する作業を極めて簡単に行えることとなる。
【００２５】
この際、閉塞板３は、前述したように、強力なバネ等により付勢されてはいないため、エサを取り付ける際にたとえ手が滑ってしまっても、導入部２を閉塞しようとする閉塞板３で手を強く挟んだりしてけがをする懸念もない。
【００２６】
従って、従来に比してよりスピィーディに導入部２を閉塞板３で閉塞して本体１内に侵入した動物を良好に捕獲できる上に、この閉塞板３による導入部２の閉塞動作には、強力なバネ等は使用しないため、本体１内にエサをしかけて閉塞板３を開けた状態とする作業を極めて簡単に行うことができ、しかも、一旦導入部２を閉塞した閉塞板３は、上方にスライド移動しない限りは、この閉塞板３に動物がどんなに強い力で体当たりしても導入部２が開放状態となることがない極めて実用性に秀れた画期的な捕獲器となる。
【００２７】
また、例えば、前記本体１に、閉塞板３を所定位置で係止するための係止杆５Ａを設け、この係止杆５Ａの端部を前記係止部５に設定し、この係止杆５Ａの端部で閉塞板３を支承することで前記導入部２を開放状態とし、この係止杆５Ａによる閉塞板３Ａの支承状態が解除されることで、前記閉塞板３が自動的に下方へスライド移動し前記導入部２を閉塞状態とし得るように構成すれば、単に係止杆５Ａで閉塞板３を支承するだけで導入部２を開放状態にでき、また、単に前記係止杆５Ａによる閉塞板３の係止状態を解除するだけで、導入部２を閉塞状態にでき、しかも、この導入部２の開閉動作は、係止杆５Ａを本体１に前記閉塞板３を支承し得るように設けるだけで実現できるため、前記動物を良好に捕獲することができる捕獲器を極めて容易に設計実現できることとなるなど、一層実用的となる。
【００２８】
また、例えば、前記エサ取付部４を前記本体１内に回動自在に設け、このエサ取付部４の回動動作に連動して進退移動する係止杆５Ａを前記エサ取付部４に連設し、この係止杆５Ａの端部の前記係止部５で前記閉塞板３を上方に位置した状態で係止し、前記本体１内に侵入した動物が前記エサ取付部４を可動させた際に、このエサ取付部４の可動に連動して係止杆５Ａが進退移動することで、前記係止杆５Ａの端部に設けた係止部５による閉塞板３の係止状態が解除され、前記閉塞板３が自動的に下方へスライド移動し導入部２を閉塞状態とし得るように前記係止解除機構６を構成すれば、本体１内に侵入した動物がエサ取付部４に取り付けたエサを取ろうとして引っ張る等した瞬間に閉塞板３で導入部２を閉塞して動物を本体１内で確実に捕獲することができ、更に例えば、エサ取付部４を本体１内の導入部２から遠い位置に設ければ、本体１内に侵入した動物がエサ取付部４を可動させた際に異変に気づいて本体１内から逃げようとしても、エサ取付部４と導入部２とは離れているため、動物が本体１から逃げてしまう前に閉塞板３で導入部２を確実に閉塞でき、よって、本体１内に侵入した動物を良好に捕獲できることとなるなど、一層実用的となる。
【００２９】
また、例えば、前記係止杆５Ａの先端部を前記係止部５とし、前記閉塞板３をこの係止杆５Ａの先端部の係止部５で支承することで前記閉塞板３を前記本体１の導入部２を開口した位置で係止し、前記本体１内にこの導入部２から侵入した動物が前記エサ取付部４を引動した際に、この引動動作に連動して前記係止杆５Ａが後退動することで前記閉塞板３から前記係止杆５Ａの先端部の係止部５が抜脱して前記係止状態が解除され、前記閉塞板３が自動的に下方へスライド移動して前記導入部２を閉塞状態とするように構成すれば、極めて簡単な構成により、本体１の導入部２を開口した位置で閉塞板３を係止状態とすることができ、また、この係止状態を解除して閉塞板３で導入部２を閉塞することができ、更に、本体１内に侵入する動物は警戒心が極めて強い状態となっていると考えられ、そのため、前記動物はエサ取付部４から早くエサを取って本体１外へ逃げようとすると考えられることから、エサ取付部４を前記動物が確実に引動して閉塞板３の本体１上部位置における係止状態を確実に解除して導入部２を閉塞板３で確実に閉塞できることとなるなど、一層実用的となる。
【００３０】
また、例えば、前記本体１に前記エサ取付部４を取り付けるための支承杆８を架設し、この支承杆８にエサ取付部４を回動自在に連結すれば、極めて簡単な構成により、本体１内にエサ取付部４を回動自在に配設することができ、また、このエサ取付部４に連動する前記係止杆５Ａを極めて簡易に連設してこの係止杆５Ａによる閉塞板３の支承・支承解除動作を容易に実現できることとなるなど、一層実用的となる。
【００３１】
また、例えば、前記エサ取付部４を引導した動物が前記エサ取付部４から離れてこのエサ取付部４が戻り動することで、この戻り動に連動して前記係止杆５Ａが前進動して前記閉塞板３の上方に突出し、この突出した係止杆５Ａが閉塞板３の上方へのスライド移動を阻止するように構成すれば、特別な構成を付加することなくエサ取付部４の戻り動を利用して導入部２を閉塞板３で閉塞することができ、これにより、本体１内に捕獲された動物が暴れて閉塞板３をどのように動かしても、この閉塞板３が上方にスライド移動して導入部２が開放してしまうことはなく、よって、捕獲した動物を本体１内に確実に収納しておけることとなるなど、一層実用的となる。
【００３２】
【実施例】
図面は本発明の一実施例を図示したものであり、以下に説明する。
【００３３】
タヌキやイノシシなどの動物を収納する本体１に前記動物を本体１内へ導入するための導入部２を設け、この導入部２を閉塞するための閉塞板３を前記導入部２に対して上下方向にスライド移動自在に設けた構成としている。
【００３４】
本体１としては、長箱状の収納体１を採用している。これは、本体１内にエサを取り付ける位置と導入部２との距離をなるべく遠くに設定することにより、本体１内に侵入した動物がエサをつついた瞬間に閉塞板３で導入部２を閉塞して前記動物を確実に本体１内で捕らえられるようにするためである。
【００３５】
具体的には、この本体１は、底面を形成する板状体１Ａ上に、長箱状に形成した枠体１Ｂを配設し、前面部を除く他の面に網状体１Ｃを配設して成る構成としている。
【００３６】
尚、本実施例では、網状体１Ｃとしてエキスパンドメタルを採用している。そのため、耐強性に秀れた本体１を製作することができる。
【００３７】
また、本実施例では、本体１を全て金属により形成しているが、動物を本体１内に良好に収納することができる構成であれば適宜採用しても良く、例えば合成樹脂製としても良い。
【００３８】
また、図中符号１Ｄは本体１を持ち上げ移動するための取手を示している。
【００３９】
そして、網状体１Ｃを配設しないことで開放状態となった本体１の前面部を前記導入部２に設定している。
【００４０】
閉塞板３は、導入部２と略同じ形状，大きさに設定した枠体３Ｂに網状体３Ｃを配設して成る構成としている。
【００４１】
尚、閉塞板３も前記本体１と同様、網状体３Ｃとしてエキスパンドメタルを採用し、耐強性に秀れる構成となっている。
【００４２】
また、閉塞板３の上部には、この閉塞板３を上下方向にスライド移動するための取手３Ｄを設けた構成としている。
【００４３】
また、本実施例は、閉塞板３を枠体３Ｂと網状体３Ｃとで形成した構成としたが、導入部２を閉塞し得るものであれば適宜採用しても良く、例えば木板や金属板等を採用しても良い。
【００４４】
導入部２には、この導入部２を閉塞し得る閉塞板３を上下方向にスライド移動自在に配設した構成としている。
【００４５】
具体的には、導入部２の左右両端部、即ち、本体１の前面部の左右両端部に閉塞板３の上下方向のスライド移動をガイドするガイド枠７を立設した構成としている。このガイド枠７は、閉塞板３を上下方向にのみスライド動作させ得る形状に形成した構成としている。
【００４６】
更に具体的には、本体１の前面部を構成する枠体１Ｂのうち、左右の枠体１Ｂを、前記閉塞板３を上方へスライド移動した際、導入部２を開放状態とできる長さに延設して前記ガイド枠７を形成した構成としている。
【００４７】
即ち、少なくとも、本体１の前記前面左右部に位置する枠体１Ｂにチャンネル状の枠体を採用し、このチャンネル状の枠体を、前述の導入部２を開放し得る長さに設定して前記ガイド枠７を長箱状の枠体１Ｂに設けた構成としている。
【００４８】
これにより、本体１を構成する枠体１Ｂを形成する際にガイド枠７も同時に形成できることとなり、よって、極めて本体１を簡易に形成することができる。
【００４９】
尚、本実施例では、本体１の前面左右部に位置する枠体１Ｂを延設することでガイド枠７を形成した構成としたが、このガイド枠７は、閉塞板３を導入部２に対して上下方向にスライド移動し得る構成であれば適宜採用しても良く、例えば、枠体１Ｂをアングル材により形成する構成とし、この際、本体１の前面左右部にあたる枠部１Ｂを延設し、この延設したアングル材に同じ長さのアングル材を単に付設することで、これらアングル材間に断面コ字状のスライド溝を形成し、このスライド溝に閉塞板３を係合させることで前記閉塞板３を上下方向にスライド移動自在とするガイド枠を形成しても良い。
【００５０】
そして、前記ガイド枠７に閉塞板３を配設することで、この閉塞板３を本体１に対して上下方向にスライド移動できるように構成している。
【００５１】
閉塞板３は、ガイド枠７に沿って前記本体１の上部に位置した際には導入部２を開放状態とし、ガイド枠７に沿って下方へスライド移動した際にはこの導入部２を閉塞状態とし得るように構成している。
【００５２】
本体１には、閉塞板３を前記本体１の上部に位置した状態で係止する係止部５を設け、本体１内に侵入した動物が前記本体１内に設けたエサ取付部４を可動させた際に、前記係止部５による前記閉塞板３の係止状態が解除されてこの閉塞板３が自動的に下方へスライド移動し前記導入部２を閉塞状態とする係止解除機構６を設けた構成としている。
【００５３】
即ち、前記エサ取付部４を前記本体１内に回動自在に設け、このエサ取付部４の回動動作に連動し進退移動する係止杆５Ａを前記エサ取付部４に連設して前記係止解除機構６を構成している。
【００５４】
具体的には、エサ取付部４は、図１，図２に示すように、本体１内の後方上部位置にあたる枠体１Ｂ間に、前記エサ取付部４を支承するための支承杆８を架設し、この支承杆８にエサを取り付ける取付フック４Ａを、その上部が本体１上面を形成する網状体１Ｃからやや突出する状態で回動自在に連結した構成としている。
【００５５】
即ち、取付フック４Ａの上部に、前記支承杆８を挿通するための挿通孔を設け、この挿通孔に係止杆８を挿通することで、取付フック４Ａを前後方向に回動自在に取り付けた構成としている。
【００５６】
そして、この取付フック４Ａの上端部（網状体１Ｃから突出した部分）に貫通孔を設け、この貫通孔に係止部５となる係止杆５Ａを回動自在に連結した構成としている。尚、この取付フック４Ａの配設位置近傍の網状体１Ｃには、取付フック１Ｃの上部を本体１外へ突出させるための開口部１３を設けている。
【００５７】
即ち、係止杆５Ａは、本体１の上面上に配設され、この本体１の上面に沿って進退移動するように構成している。
【００５８】
係止杆５Ａは、一端部を湾曲させた杆体を採用している。
【００５９】
また、この湾曲させた部位とは逆側の端部を前記係止部５に設定している。
【００６０】
そして、この湾曲部位を取付フック４Ａの上端部に設けた貫通孔に係合させることで、係止杆５Ａを貫通孔（取付フック４Ａ）に対して回動自在に連結した構成としている。
【００６１】
また、係止杆５Ａの長さは、取付フック４Ａが略垂下状態の際には、係止杆５Ａの先端部が本体１の最前部の枠体１Ｂよりも外方へ突出し、取付フック４Ａを導入部２方向へ引動した際には、係止杆５Ａの先端部が前記本体１の最前部の枠体１Ｂ上若しくはこの枠体１Ｂよりも内方へ位置し得る長さに設定している。これは、取付フック４Ａにエサを取り付けて動物の侵入を待つ際には、係止杆５Ａの先端部で閉塞板３を支承して導入部２を開放状態とするためであり、また、本体１内に動物が侵入して取付フック４Ａに取り付けたエサを動物が引動した際には、閉塞板３の係止状態を解除して導入部２を閉塞状態とするためである。
【００６２】
本実施例では、閉塞板３として枠体３Ｂと網状体３Ｃとから成る閉塞板を採用することで、導入部２の開放具合を調整し得る構成としている。
【００６３】
即ち、枠体３Ｂ内に配設した網状体３Ｃの網目に係止杆５Ａを挿通してこの網状体３Ｃを支承することで、閉塞板３を本体１に対して所望の高さで係止できる構成としている。
【００６４】
これにより、導入部２を開放状態とする際の、この開放度合いを様々な状態に設定することができ、よって、捕獲しようとする動物の大きさに応じて導入部２の大きさを設定することができる。例えば、小さい動物を捕らえるのに導入部２を大きく開放し過ぎると、その分、前記小さい動物を取り逃がしてしまう可能性も高まることとなり、よって、小さい動物を捕獲しようとするときには、導入部２の開放状態も小さく設定することで、より一層確実に動物を捕獲できることになる。
【００６５】
本体１の最前部の枠体１Ｂ上には、係止杆５Ａを前後方向へのスライド移動をガイドするための杆ガイド部１２を設けた構成としている。
【００６６】
具体的には、杆ガイド部１２は、本体１の最前部の枠体１Ｂ上に、ガイド孔１０を形成した孔形成体１４を付設して成る構成としている。
【００６７】
そして、この孔形成体１４に設けたガイド孔１０に係止杆５Ａを挿通係合することで、前記取付フック４Ａの前後動に連動して係止杆５Ａを前後方向に進退移動できるようにし、この係止杆５Ａの先端部を本体１の前部の枠体１Ｂに対して突没動できるように構成している。
【００６８】
これにより、取付フック４Ａの可動により係止杆５Ａを確実に前後方向に進退移動することができ、よって、係止部５による閉塞板３の係止・係止解除動作を確実且つ良好に実現できることとなる。
【００６９】
尚、本実施例では、ガイド孔１０を形成した孔形成体１４を前記枠体１Ｂ上に付設した構成としたが、係止杆５Ａを前後方向に良好に進退移動できる構成であれば適宜採用しても良く、例えば、本体１上面を形成する網状体１Ｃに付設しても良い。
【００７０】
即ち、エサを取り付けることで垂下状態となった取付フック４Ａに連結した係止杆５Ａの先端部で閉塞板３を支承して本体１の導入部２が開放した状態とし、本体１内に侵入した動物がエサ（取付フック４Ａ）を可動させた際に、この取付フック４Ａの可動に連動して係止杆５Ａが進退移動して前記係止杆５Ａによる閉塞板３の係止状態が解除されるように構成している。
【００７１】
具体的には、エサを取り付けることで垂下状態となった取付フック４Ａに連結し、本体１の前面部の枠体１Ｂから突出状態となった係止杆５Ａの先端部で閉塞板３の下部を支承して導入部２を開放状態とし（図２参照）、この状態で導入部２から動物が本体１内に侵入してくるのを待ち、本体１内に侵入した動物がエサを取ろうと取付フック４Ａを引動した際、この引動動作に連動して係止杆５Ａが後退動してこの係止杆５Ａの先端部が本体１の前面部の枠体１Ｂに対して没動し、これにより、閉塞板３の下部から係止杆５Ａが抜脱することで本体１の上部における閉塞板３の係止状態が解除されて閉塞板３がガイド杆７に沿って下方へスライド移動し、導入部２を閉塞し得るように構成している（図１，図３参照）。
【００７２】
即ち、閉塞板３は、係止杆５Ａによる支承状態が解除された際、その自重によりガイド枠７に沿って下方へスライド移動し、導入部２を閉塞する構成としている。
【００７３】
尚、本実施例では、閉塞板３を自重により下方へスライド移動する構成としたが、本体１（ガイド枠７）と閉塞板３との間に、この閉塞板３を下方へ付勢する付勢体を設けて前記閉塞板３を、その自重の他にもこの付勢体の付勢力によって下方へスライド移動し得る構成としても良い。この場合には、導入部２を閉塞するための閉塞板３の下方へのスライド移動を、更に迅速に行うことができるため、極めて素早い動きをする動物に対しては、より一層有効となる。
【００７４】
係止部５には、閉塞板３が導入部２を閉塞した状態を保持するロック機能を備えた構成としている。
【００７５】
即ち、本体１内に捕獲された動物が取付フック４Ａから離れることでこの取付フック４Ａが再び垂下状態に戻り動すると、この戻り動に連動して前記係止杆５Ａがガイド孔１０にガイドされつつ前進動して本体１の前面部の枠体１Ｂから再び突出し、この際、突出した係止杆５Ａが、導入部２を閉塞した閉塞板３の上方に位置することで、前記閉塞板３が上方に向けてスライド移動しようとする動きを阻止でき、これにより、閉塞板３が導入部２を閉塞した状態を保持できるように構成している。
【００７６】
尚、本実施例では、本体１として長箱状の収納体を採用した構成としたが、これ以外にも、動物を良好に収納でき、且つ、本実施例の作用効果を発揮し得るものであれば適宜採用しても良く、例えば、断面視三角形状の収納体を採用しても良いし、円筒状の収納体を採用しても良い。
【００７７】
また、本実施例では、取付フック４Ａを可動させることで係止杆５Ａを進退移動させて閉塞板３の係止状態を解除し得るように構成したが、動物が本体１内に侵入した際に閉塞板３を下方へスライド移動させて導入部２を閉塞し前記動物を本体１内に捕獲し得る構成であれば適宜採用しても良く、例えば、本体内に動物を誘引するためのエサを配し、導入部からエサまでの間に係止杆と連動する踏板部等を設けて、その踏板部上に動物が乗ってこの踏板部が例えば没動した際に、この踏板部の没動作に連動して係止杆を進退移動させ、これにより、係止杆による閉塞板の係止状態を解除して導入部を閉塞し得る構成としても良い。
【００７８】
【発明の効果】
本発明は上述のように構成したから、本体に設けた動物を導入するための導入部を強力なバネで付勢した閉塞板で閉塞するのではなく、自重を利用して下方へスライド落下する閉塞板で導入部を閉塞するため、動物がエサをつついた瞬間に即座に導入部を閉塞板で閉塞できることは勿論、閉塞板を開けて本体内にエサしかける作業を強い力を必要とせずに極めて簡単且つ安全に行え、しかも、簡易な構成であるために容易に設計実現することができる極めて実用性に秀れた画期的な捕獲器となる。
【００７９】
また、請求項２記載の発明においては、単に係止杆で閉塞板を支承するだけで導入部を開放状態にでき、また、単に前記係止杆による閉塞板の係止状態を解除するだけで、導入部を閉塞状態にでき、しかも、この導入部の開閉動作は、係止杆を本体に前記閉塞板を支承し得るように設けるだけで行えるため、前記動物を良好に捕獲することができる捕獲器を極めて容易に設計実現することができる極めて実用性に秀れた画期的な捕獲器となる。
【００８０】
また、請求項３記載の発明においては、本体内に侵入した動物がエサ取付部に取り付けたエサを取ろうとした瞬間に閉塞板で導入部を閉塞して動物を本体内で確実に捕獲することができ、更に例えば、エサ取付部を本体内の導入部から遠い位置に設ければ、本体内に侵入した動物がエサ取付部を可動させた際に異変に気づいて本体内から逃げようとしても、エサ取付部と導入部とは離れているため、動物が本体から逃げてしまう前に閉塞板で導入部を確実に閉塞でき、よって、本体内に侵入した動物を良好に捕獲することができる極めて実用性に秀れた画期的な捕獲器となる。
【００８１】
また、請求項４記載の発明においては、極めて簡単な構成により、本体の導入部を開口した位置で閉塞板を係止状態とすることができ、また、この係止状態を解除して閉塞板で導入部を閉塞することができ、更に、本体内に侵入する動物は警戒心が極めて強い状態となっていると考えられ、そのため、前記動物はエサ取付部から早くエサを取って本体外へ逃げようとすると考えられることから、エサ取付部を確実に引動して閉塞板の本体上部位置における係止状態を確実に解除して導入部を閉塞板で確実に閉塞することができる極めて実用性に秀れた画期的な捕獲器となる。
【００８２】
また、請求項５記載の発明においては、極めて簡単な構成により、本体内にエサ取付部を回動自在に配設することができ、また、このエサ取付部に連動する前記係止杆を極めて簡易に連設することができる極めて実用性に秀れた画期的な捕獲器となる。
【００８３】
また、請求項６記載の発明においては、特別な構成を付加することなくエサ取付部の戻り動を利用して導入部を閉塞板で閉塞することができ、これにより、本体内に捕獲された動物が暴れて閉塞板をどのように動かしても、この閉塞板が上方にスライド移動して導入部が開放してしまうことはなく、よって、捕獲した動物を本体内に確実に収納しておくことができる極めて実用性に秀れた画期的な捕獲器となる。
【図面の簡単な説明】
【図１】本実施例の閉塞板で導入部を閉塞した状態を示す全体斜視図である。
【図２】本実施例の閉塞板を上方に位置させて導入部を開放状態としたことを示す説明斜視図である。
【図３】本実施例の閉塞板，係止杆及びエサ取付部の動きの関係を示す説明断面図である。
【符号の説明】
１  本体
２  導入部
３  閉塞板
４  エサ取付部
５  係止部
５Ａ  係止杆
６  係止解除機構
【図１】
2004305050.tif 000003
【図２】
2004305050.tif 000004
【図３】
2004305050.tif 000005